(57)【要約】【課題】  記載された情報を隠蔽用紙片で隠蔽することにより親展性を高めることができ、当たり、はずれの抽選番号の付いた官製葉書等に関する法律にも適合し、配達中において葉書本体と隠蔽用紙片が分離する恐れがなく、記載した情報が繰返し受信者の目が触れる効果を備えたくじ付郵便葉書を提供するものである。【解決手段】  葉書本体片の外面に抽選番号が記載され、内面に親展情報が記載され、葉書本体片の内面に隠蔽用紙片の内面を重ねて剥離可能に積層され葉書本体片の内面に記載された親展情報を隠蔽するくじ付郵便葉書であって、葉書本体片の内面および隠蔽用紙片の内面に弱粘着剤層が形成され、葉書本体片の弱粘着剤層面と隠蔽用紙片の弱粘着剤層面とを対向させて重ね合わせて剥離可能に圧着されると共に一側端縁部に剥離不能に接着される強粘着剤層が形成され葉書本体片と隠蔽用紙片とが剥離不能に接着されていることを特徴とするものである。【選択図】        図１
2010155450.tif 000002
【特許請求の範囲】
【請求項１】
葉書本体片の外面に抽選番号が記載され、内面に親展情報が記載され、前記葉書本体片の内面に隠蔽用紙片の内面を重ねて剥離可能に積層され前記葉書本体片の内面に記載された親展情報を隠蔽するくじ付郵便葉書であって、前記葉書本体片の内面および前記隠蔽用紙片の内面に加圧により剥離可能に弱接着する弱粘着剤層が形成され、前記葉書本体片の弱粘着剤層面と前記隠蔽用紙片の弱粘着剤層面とを対向させて重ね合わせて剥離可能に圧着されると共に一側端縁部に加圧により剥離不能に接着される強粘着剤層が形成され前記葉書本体片と前記隠蔽用紙片とが剥離不能に接着されていることを特徴とするくじ付郵便葉書。
【請求項２】
葉書本体片の外面に抽選番号が記載され、内面に親展情報が記載され、前記葉書本体片の内面に隠蔽用紙片の内面を重ねて剥離可能に積層され前記葉書本体片の内面に記載された親展情報を隠蔽するくじ付郵便葉書であって、前記葉書本体片の内面と前記隠蔽用紙片の内面とが、透明プラスチックシート層の片面に該透明プラスチックシート層と剥離可能な離型樹脂層を積層してなるシートの両面に感熱接着剤層を設けた擬似接着シートを介して重ね合わされて、前記透明プラスチックシート層と前記離型樹脂層との間で剥離可能に加熱接着され一体化されると共に一側端縁部に前記擬似接着シートを後退させて前記葉書本体片の内面と前記隠蔽用紙片の内面とが接着される側端縁感熱接着剤層が形成され前記葉書本体片と前記隠蔽用紙片とが前記一側端縁部で剥離不能に加熱接着されていることを特徴とするくじ付郵便葉書。
【請求項３】
前記葉書本体片の外面に抽選番号が記載された領域に複写防止手段が施されていることを特徴とする請求項１または２に記載のくじ付郵便葉書。
【発明の詳細な説明】
【技術分野】
【０００１】
本発明は、記載された通知情報の親展性の高い圧着葉書に関し、特にくじ付郵便葉書に関するものである。
【背景技術】
【０００２】
従来の他人が通知情報を視認できないようにした圧着葉書としては、２つ折り形態と３つ折り形態の葉書が広く知られている。２つ折り形態としては、折り目部よりミシン目線によって分離できる２つ折り葉書であって、その見開きの片面部には、例えば証明、依頼等の事項を表示するとともに、他面部には、上記の事項を控として表示し、これらの表示部が対向するように折り合わせ、その重なり合う面の表示面に予め形成した剥離可能な粘着剤層により貼着した控付き隠蔽葉書が知られている（例えば、特許文献１参照）。３つ折り形態としては、基材の密着予定面の全面に弱粘着剤層を形成したシークレットはがき用などとして使用するメールフォームに関し、秘密情報等を印字した密着面の側縁部に剥離不可能な強接着剤層と、開封用のミシン目およびコーナーカットを設けたセキュリティーメールフォームが知られている（例えば、特許文献２参照）。
【０００３】
しかしながら、上記２つ折り形態と３つ折り形態の圧着葉書はいずれも２つ折りもしくは３つ折りして葉書の大きさになるようにそれぞれの紙片が連接された一枚の用紙で構成されているために、この形態を例えばお年玉付年賀葉書やくじ付暑中葉書（かもめーる）等の抽選番号が付いたくじ付郵便葉書に適用すると、紙片は独立していなければならないという当たり、はずれの抽選番号の付いた官製葉書等に関する規定により制約を受け、くじ付郵便葉書には適用できないという問題がある。くじ付郵便葉書に適用するには、それぞれの紙片が独立していることが必要となる。一方、独立した紙片からなる圧着葉書としては、葉書本体の片面に接着層を介してシート片が剥離可能に積層され、該シート片を剥離することにより隠蔽情報が表出するように成した隠蔽葉書が知られている（例えば、特許文献３参照）。
【０００４】
しかしながら、特許文献３の隠蔽葉書は、ワックスエマルジョンと酢酸ビニルアクリル共重合体エマルジョンの混合物から構成された接着層からなり、酢酸ビニルアクリル共重合体エマルジョンは接着層の接着力を調整するために添加されるものであり、配合比率が小さくなると接着力が弱まり、配達中において葉書本体とシート片が分離する恐れが有るという問題がある。
一方、くじ付郵便葉書を用いることにより、受信人は記載された情報を見た後、少なくとも抽選日までは捨てることなく保管をするので、抽選日には再び記載された情報が受信者の目に触れるという効果が期待でき、例えば商品の情報であれば、その商品の販促効果の継続性を高めることができるという発信人である販売者、メーカー等のニーズがあり、親展性の高いくじ付郵便葉書の開発が要望されていた。
【先行技術文献】
【特許文献】
【０００５】
【特許文献１】特開平５−１４７３７４号公報
【特許文献２】特開平６−１５５９６７号公報
【特許文献３】特開２０００−１９０６６８号公報
【発明の概要】
【発明が解決しようとする課題】
【０００６】
本発明は、上記のような従来の問題点に鑑み、記載された情報を隠蔽用紙片で隠蔽することにより親展性を高めることができ、当たり、はずれの抽選番号の付いた官製葉書等に関する規定にも適合し、配達中において葉書本体と隠蔽用紙片が分離する恐れがなく、記載した情報が繰返し受信人の目に触れる効果を備え、例えば、商品の販促効果の継続性を高めることが可能なくじ付郵便葉書を提供するものである。
【課題を解決するための手段】
【０００７】
上記課題を解決するために、請求項１に記載の本発明は、葉書本体片の外面に抽選番号が記載され、内面に親展情報が記載され、前記葉書本体片の内面に隠蔽用紙片の内面を重ねて剥離可能に積層され前記葉書本体片の内面に記載された親展情報を隠蔽するくじ付郵便葉書であって、前記葉書本体片の内面および前記隠蔽用紙片の内面に加圧により剥離可能に弱接着する弱粘着剤層が形成され、前記葉書本体片の弱粘着剤層面と前記隠蔽用紙片の弱粘着剤層面とを対向させて重ね合わせて剥離可能に圧着されると共に一側端縁部に加圧により剥離不能に接着される強粘着剤層が形成され前記葉書本体片と前記隠蔽用紙片とが剥離不能に接着されていることを特徴とするくじ付郵便葉書である。
【０００８】
また、請求項２に記載の本発明は、葉書本体片の外面に抽選番号が記載され、内面に親展情報が記載され、前記葉書本体片の内面に隠蔽用紙片の内面を重ねて剥離可能に積層され前記葉書本体片の内面に記載された親展情報を隠蔽するくじ付郵便葉書であって、前記葉書本体片の内面と前記隠蔽用紙片の内面とが、透明プラスチックシート層の片面に該透明プラスチックシート層と剥離可能な離型樹脂層を積層してなるシートの両面に感熱接着剤層を設けた擬似接着シートを介して重ね合わされて、前記透明プラスチックシート層と前記離型樹脂層との間で剥離可能に加熱接着され一体化されると共に一側端縁部に前記擬似接着シートを後退させて前記葉書本体片の内面と前記隠蔽用紙片の内面とが接着される側端縁感熱接着剤層が形成され前記葉書本体片と前記隠蔽用紙片とが前記一側端縁部で剥離不能に加熱接着されていることを特徴とするくじ付郵便葉書である。
【０００９】
また、請求項３に記載の本発明は、請求項１または２に記載のくじ付郵便葉書において、前記葉書本体片の外面に抽選番号が記載された領域に複写防止手段が施されていることを特徴とするものである。
【発明の効果】
【００１０】
本発明のくじ付郵便葉書は、葉書本体片の外面に抽選番号が記載され、内面に親展情報が記載され、葉書本体片の内面に隠蔽用紙片の内面を重ねて剥離可能に積層され葉書本体片の内面に記載された親展情報を隠蔽するくじ付郵便葉書であって、葉書本体片の内面および隠蔽用紙片の内面に加圧により剥離可能に弱接着する弱粘着剤層が形成され、葉書本体片の弱粘着剤層面と隠蔽用紙片の弱粘着剤層面とを対向させて重ね合わせて剥離可能に圧着される構成とすることにより、親展情報を容易に隠蔽することができ、第三者に対して秘密保持が可能となり、親展性の高いものとできる。
また、一側端縁部に加圧により剥離不能に接着される強粘着剤層が形成され葉書本体片と隠蔽用紙片とが剥離不能に接着されている構成とすることにより、郵便仕分け作業中や配達中に隠蔽用紙片が剥離して分離してしまうことを防止できる。
そして、このくじ付郵便葉書を受取った受取人は、隠蔽用紙片を弱粘着剤層間で容易に剥離させることができ、強粘着剤層で隠蔽用紙片を折り返して見開き状態とすることにより記載された親展情報を読み取ることができる。
さらにくじ付郵便葉書とすることで受信人は記載された親展情報を見た後、少なくとも抽選日までは捨てることなく保管し、さらに抽選日には再び記載された親展情報が受信者の目に触れることとなり、例えば商品の情報であれば、その商品の販促効果の継続性を高めることが可能となる。
【００１１】
また、請求項２の本発明は、葉書本体片の内面と隠蔽用紙片の内面とが、透明プラスチックシート層の片面に該透明プラスチックシート層と剥離可能な離型樹脂層を積層してなるシートの両面に感熱接着剤層を設けた擬似接着シートを介して重ね合わされて、透明プラスチックシート層と離型樹脂層との間で剥離可能に加熱接着され一体化される構成とすることにより、上記効果に加え、このくじ付郵便葉書を受取った受取人は、透明プラスチックシート層と離型樹脂層との界面から剥離させ、見開き状態にすることにより、葉書本体片の内面に記載された親展情報を透明プラスチックシート層および感熱接着剤層を透して読み取ることができ、隠蔽用紙片の内面に記載された親展情報を離型樹脂層および感熱接着剤層を透して読み取ることができる。また、透明プラスチックシート層は光沢があり、記載された親展情報がきれいに見えると共に該層により親展情報が保護されるので長期保管が可能となる。
【００１２】
また、請求項３の本発明は、葉書本体片の外面に抽選番号が記載された領域に複写防止手段が施されている構成とすることにより、抽選番号の偽造防止効果がある。
【図面の簡単な説明】
【００１３】
【図１】本発明に係るくじ付郵便葉書の第一実施形態を示すお年玉付年賀葉書の平面図である。
【図２】本発明に係るくじ付郵便葉書の第一実施形態を示すお年玉付年賀葉書の裏面図である。
【図３】図１のＸ−Ｘ線断面図である。
【図４】本発明に係るくじ付郵便葉書の第一実施形態の使用方法を示す説明図である。
【図５】本発明に係るくじ付郵便葉書の製造方法の一例を示す説明図である。
【図６】本発明に係るくじ付郵便葉書の製造方法の他の例を示す説明図である。
【図７】本発明に係るくじ付郵便葉書の第二実施形態を示す断面図である。
【発明を実施するための形態】
【００１４】
以下図面を用いて、本発明の実施形態について説明する。図１は本発明に係るくじ付郵便葉書の第一実施形態を示すお年玉付年賀葉書の平面図、図２は本発明に係るくじ付郵便葉書の第一実施形態を示すお年玉付年賀葉書の一裏面図、図３は図１のＸ−Ｘ線断面図、図４は本発明に係るくじ付郵便葉書の第一実施形態の使用方法を示す説明図、図５は本発明に係るくじ付郵便葉書の製造方法の一例を示す説明図、図６は本発明に係るくじ付郵便はがきの製造方法の他の例を示す説明図、図７は本発明に係るくじ付郵便葉書の第二実施形態を示す断面図であって、図７（イ）は図１のＸ−Ｘ線に相当する断面図であり図７（ロ）は開封した状態を示す断面図である。図中の符号１、１０１はくじ付郵便葉書、２は葉書本体片、３は隠蔽用紙片、４は弱粘着剤層、５は側端縁部、６は強粘着剤層、７は広幅用紙、８は余白、９はカット位置、２０は抽選番号、２０ａ、２０ｂは抽選番号が記載された領域、２１は郵便番号、２２は住所、２３は氏名、３０は切り欠き、３１はミシン目線、１０２は透明プラスチックシート層、１０３は離型層、１０４は感熱接着剤層、１０５は擬似接着シート、１０６は側端縁感熱接着剤層、Ｓは親展情報、Ｏはオープン情報をそれぞれ示す。
【００１５】
本発明のくじ付郵便はがきの第一実施形態であるお年玉付年賀葉書は、図１〜図４に示す通りである。本発明の第一実施形態のくじ付郵便葉書１は、お互いに独立した葉書本体片２と隠蔽用紙片３からなり、葉書本体片２と隠蔽用紙片３は葉書サイズの寸法で略同じ大きさに形成され、弱粘着剤層を介して剥離可能に積層された構成である。
【００１６】
葉書本体片２は、図１に示すように、外面に抽選番号２０が記載されたお年玉付年賀葉書である。さらに葉書本体片２の外面には、受取人の郵便番号２１、住所２２及び氏名２３が記載されている。
【００１７】
また、図４に示すように、葉書本体片２の内面、及び隠蔽用紙片３の内面には親展情報Ｓが印刷されている。さらに、図２に示すように隠蔽用紙片３の外面には年賀の挨拶や広告等のオープン情報Ｏが記載されている。さらに隠蔽用紙片３の側端縁部５と対向する側端縁部の一方の隅部に切り欠き３０が設けられ、くじ付郵便葉書１は切り欠き３０を起点として容易に開封できる構成とされている。また、隠蔽用紙片３の側端縁部５に形成された強粘着剤層６（図３参照）近傍に側端縁部５に沿ってミシン目線３１が形成されている。
【００１８】
図３は、本発明のくじ付郵便葉書１の構成を示す断面図である。図３に示すように、本発明のくじ付郵便葉書１は、葉書本体片２の内面および隠蔽用紙片３の内面に弱粘着剤層４が形成され、葉書本体片２の弱粘着剤層４面と隠蔽用紙片３の弱粘着剤層４面とを対向させて重ね合わせて圧着された構成である。また、弱粘着剤層４が形成されることにより葉書本体片２と隠蔽用紙片３とは剥離可能に圧着されている。そして、葉書本体片２と隠蔽用紙片３との長辺の一方の側端縁部５に強粘着剤層６が形成され葉書本体片２と隠蔽用紙片３とが剥離不能に接着されている。強粘着剤層６を介して接着される葉書本体片２と隠蔽用紙片３の側端縁部５において、葉書本体片２と隠蔽用紙片３の内面には弱粘着剤層４を設けずに強粘着剤層６が直接接する構成とする方が接着がより強くなるので好ましい。強粘着剤層６を設けることにより葉書本体片２と隠蔽用紙片３が、側端縁部５で加圧により剥離不能に接着されるので、郵便仕分け中や配達中に葉書本体片２と隠蔽用紙片３とが分離することがない。
【００１９】
次に、本発明のくじ付郵便葉書１に使用される材料について説明する。葉書本体片２、隠蔽用紙片３には上質紙、カード紙、コート紙、クレーコート紙、クラフト紙等が使用でき、坪量及び大きさは、当たり、はずれの抽選番号の付いた官製葉書等に関する規定の範囲で任意に選定できる。葉書本体片２と隠蔽用紙片３とは同じ材料とする方が後述するが葉書本体片２と隠蔽用紙片３を付き合わせ配置した広幅の用紙を用いて製造ができ、工程が少なくできるので好ましい。
【００２０】
弱粘着剤層４に使用される粘着剤は感圧タイプのものが用いられ、密着面の密着及び再剥離を容易にするように調整されており、例えば、以下に説明する粘着主剤、粘着力調整剤、添加物等が以下の割合で混合されている。
（１）粘着主剤                  １００重量部
（２）粘着力調整剤
針状物質の場合            １０〜１００（好ましくは１０〜５０）重量部
微粒状物質の場合          ０〜５０（好ましくは５〜３０）重量部
上記両物質を混合した場合  １０〜１００重量部
（３）添加物
ワックス                  ０．０１〜２０重量部
紫外線吸収剤              微量
消泡剤                    微量
消泡助剤                  微量
（４）エマルジョン化成分
水                      １００〜５００（好ましくは２００〜３００）重量部
乳化剤                  ０．５〜２重量部
樹脂                    １〜５０重量部
【００２１】
粘着主剤に使用される樹脂としては、天然ゴム（ＮＲ）、エステル化天然ゴム、スチレンブタジエンゴム（ＳＢＲ）、クロロプレンゴム、ポリ酢酸ビニル、ポリメチルメタクリレート（ＰＭＭＡ）等が挙げられ、または、これらの混合物が挙げられる。これらの粘着主剤の混合にあたっては、その混合割合を適宜調整することによって、感圧粘着剤同士の自着性を保持しつつ、基材との密着性を自着性より大きくすることができる。好ましくは、加圧によって感圧粘着剤同士の自着性を発現する性質の高い天然ゴムに、基材との密着性、即ちアンカー効果を高める目的でポリメチルメタクリレートやスチレンブタジエンゴムを添加したものが挙げられる。ポリメチルメタクリレートは単独で用いるより、他の粘着主剤と混合して用いるとよい。このような粘着主剤は、通常粒径０．１μｍ〜３μｍ程度の微粒状のものが使用される。
【００２２】
粘着力調整剤は、粘着主剤の粘着力を調整するために混合され、針状物質若しくは微粒状物質又はこれらの混合物が用いられる。
＜針状物質＞
針状物質としては、無機物質、有機物質のいずれでもよく、その形状が略針状であればよく、偏平状、螺旋状、鱗片状等の様々な形態を持つものから任意に選択されるが、針状物質が特に好適である。針状物質としては平均長さは１０μｍ〜２０μｍ、また平均径としては０．２μｍ〜０．５μｍ程度のものが好ましい。針状物質は、感圧粘着剤をエマルジョンとし、塗布剤とした時の沈降性を低くするために見掛け比重が０．０５〜０．６のものが好ましく、また、印刷加工やＮＩＰ適性を考慮すると、針状物質の弾性率としては１００００ｋｇ／ｍｍ2 〜４００００ｋｇ／ｍｍ2 のものが好ましい。このような針状物質としては、例えばガラス繊維、炭素繊維、ＰＡＮ系繊維、金属結晶、金属化合物結晶等が挙げられ、粘着主剤とは親和性（相溶性）を有しないものであればよい。針状物質として好ましいものは、６−チタン酸カリウム（Ｋ2 Ｏ・６ＴｉＯ2 ）の結晶であり、水との相溶性はないが親和性を有し、また見掛け比重が０．２（真比重＝３．３）、弾性率が２８０００ｋｇ／ｍｍ2 であり、感圧粘着剤成分として適している。
【００２３】
＜微粒子状物質＞
微粒状物質は、マイクロシリカ、合成ゼオライト、活性アルミナゲル、炭酸カルシウム、酸化亜鉛、酸化チタン、タルク、クレー、カオリン、活性白土、アクリルビーズ、澱粉、セルロース、シラスバルーン等が挙げられ、その粒径は、１０ｍμｍ〜３０μｍ、好ましくは０．５μｍ〜１０μｍの範囲にあるものが好適である。また、針状物質と共に添加することにより、微粒状物質の添加量を少なくすることができると共に微粒状物質の粉落ちを防止することができる。
【００２４】
＜添加物＞
添加物として、ハンドリング性、ＮＩＰの搬送性能等の滑り性向上又は耐ブロッキング性向上のために、ポリエチレンワックス、カルナウバワックス等のワックス類、劣化防止のために、アンモニア、エタノールアミン等の紫外線吸収剤などを添加してもよい。また、消泡剤として、非イオン系界面活性剤、アニオン系界面活性剤（鉱物油系）を添加したり、さらに、消泡助剤として、シリカ等を添加してもよい。
【００２５】
＜エマルジョン化成分＞
前述した粘着主剤、粘着力調整剤、添加物は、水等の媒体に分散してエマルジョン状態で基材に塗布される。エマルジョン化の際には、必要に応じて乳化剤が添加される。乳化剤としては、オレイン酸石鹸、ひまし油カリウム石鹸、カゼイン、にかわ、ゼラチン等を使用できる。また、エマルジョン化したときの粘着主剤の２次凝集防止のために、粘着主剤と親和性を有しない樹脂を添加することができる。この樹脂としては、水分散性高分子ポリエステル、熱可塑性エラストマー、また、低密度ポリエチレン等の低分子ポリエチレン、アイオノマー、酢酸ビニル−オレフィン共重合体等が好適に使用できる。
【００２６】
このような感圧粘着剤の塗布量は、乾燥後で０．１ｇ／ｍ2 〜１０ｇ／ｍ2 、好ましくは１．０ｇ／ｍ2 〜３．０ｇ／ｍ2 が好ましい。この範囲内であれば、感圧粘着剤上から印刷あるいは印字した時にインキが感圧粘着剤中を透過し、基材にまで到達させることができ、剥離した場合の印字層の転移を防止できる。さらには、ブロッキング、パイリング（粉落ち）等も防止でき、充分な密着性と印字性が得られる。
【００２７】
また、弱粘着剤層４は擬似接着すればよく、上記粘着剤以外に、例えば、アクリル系樹脂やアクリル系モノマーをエチルアルコール等のアルコールに溶解した溶液に光重合開始剤等を添加した紫外線硬化タイプのニスを擬似接着ニスとして使用することもでき、フレキソ方式等の凸版印刷あるいは、凹版によるグラビア印刷等により形成される。
【００２８】
強粘着剤層６に用いる粘着剤には、例えば、天然ゴムラテックスまたは天然ゴムラテックスのメチルメタクリレートグラフト重合体を主成分として、これらに酢酸ビニル、アクリル樹脂、スチレンブタジエン共重合体（ＳＢＲ）等の少なくとも１種を添加して、接着力を増加させたものが挙げられる。これらの成分を水と混合して、スプレー方式、グラビア方式、ノズル方式、フレキソ方式等の塗布方式で塗布される。なお、粘着剤には二酸化珪素、澱粉、界面活性剤、顔料、ポリアクリル酸アンモニウム等を混合することもできる。
【００２９】
次に図５を参照しながら本発明のくじ付郵便葉書１の製造方法の一例を説明する。本発明のくじ付郵便葉書１は、広幅用紙７に葉書本体片２と隠蔽用紙片３を余白８を介して付き合わせて配設し、広幅用紙７の状態で表裏に印刷を施し、内面に弱粘着剤を印刷して弱粘着剤層４を形成する。而して、葉書本体片２の外面の所定位置に抽選番号２０及び郵便番号２１、宛先等の個人情報を、葉書本体片２及び隠蔽用紙片３の内面に親展情報Ｓを印字しながら、所定位置に強粘着剤を塗布して強粘着剤層６を設けて、広幅用紙７の略中央に設けられた余白８で半折して葉書本体片２と隠蔽用紙片３の弱粘着剤層４を形成した内面同士を重ね合わせて加圧し葉書本体片２と隠蔽用紙片３とを積層して親展情報Ｓを隠蔽した後、半折した余白８部分と広幅用紙７の両端部分を流れ方向にスリット線で切取り、流れ方向に直角方向にカット位置９で断裁することによりくじ付郵便葉書１が製造される。なお、切り欠き３０、ミシン目線３１も所定位置に広幅用紙７を余白８で半折する前に設けられる。
【００３０】
上記のように構成されたくじ付郵便葉書１を受取った受取人は、切り欠き３０より隠蔽用紙片３と葉書本体片２を摘んで、葉書本体片２に形成された弱粘着剤層４と、隠蔽用紙片３に形成された弱粘着剤層４との界面から剥離させる。そして、図４に示すようにミシン目線３１で隠蔽用紙片３を折り返して見開き状態にすることにより、葉書本体片２及び隠蔽用紙片３の内面に記載された親展情報Ｓを読み取ることができる。
【００３１】
さらにくじ付郵便葉書としてのお年玉付年賀葉書であるので受信人は記載された親展情報Ｓを見た後、少なくとも抽選日までは捨てることなく保管されることとなり、抽選日にはくじ付郵便葉書１の葉書本体片２及び隠蔽用紙片３の内面に記載された親展情報Ｓと外面に記載されたオープン情報Ｏが再び受取人の目に触れることとなり、例えば、商品情報であれば、その商品の販促効果の継続性を高めることが可能となる。
【００３２】
次に図６を参照しながら本発明のくじ付郵便葉書１の製造方法の他の例を説明する。本発明のくじ付郵便葉書１は、上記くじ付郵便葉書１の製造方法の一例との違いは、強粘着剤層６、切り欠き３０、ミシン目線３１を設ける位置が異なるだけで、それ以外は、同じである。図６に示すように広幅用紙７に葉書本体片２と隠蔽用紙片３とを余白８を介して付き合わせて配設し、広幅用紙７の状態で表裏に印刷を施し、内面に弱粘着剤を印刷して弱粘着剤層４を形成する。而して、葉書本体片２の外面の所定位置に抽選番号２０及び郵便番号２１、宛先等の個人情報を、葉書本体片２及び隠蔽用紙片３の内面に親展情報Ｓを印字しながら、広幅用紙７の両端部近傍の所定位置にそれぞれ強粘着剤を塗布して強粘着剤層６、６を設けて、広幅用紙７の略中央に設けられた余白８で半折して弱粘着剤層４と強粘着剤層６が形成された葉書本体片２と隠蔽用紙片３との内面を弱粘着剤層４および強粘着剤層６の位置が相互に合うように重ね合わせて加圧し葉書本体片２と隠蔽用紙片３とを積層して親展情報Ｓを隠蔽した後、半折した余白８部分と広幅用紙７の両端部分を流れ方向にスリット線で切取り、流れ方向に直角方向にカット位置９で断裁することによりくじ付郵便葉書１が製造される。なお、切り欠き３０は隠蔽用紙片３の中央側の所定位置に、ミシン目線３１は隠蔽用紙片３の弱粘着剤層４と強粘着剤層６との間の所定位置に広幅用紙７を余白８で半折する前に設けられる。なお、広幅用紙７の両端部近傍の所定位置に強粘着剤層４を設けたが、強粘着剤層４は、いずれか片側でもよい。但し、強粘着剤層として感熱接着剤を塗布して設ける場合には、広幅用紙７の両端部近傍の所定位置にそれぞれ感熱接着剤を塗布して感熱接着剤層を設ける方が、接着が容易となるので好ましい。
【００３３】
図７は、本発明のくじ付郵便葉書の第二実施形態を示す断面図であって、図７（イ）は図１のＸ−Ｘ線に相当する断面図で開封前の構成を示し、図７（ロ）は開封し見開きした状態を示す断面図である。
図７（イ）に示すように、第二実施形態のくじ付郵便葉書１０１は、葉書本体片２の外面に抽選番号が記載され、内面に親展情報が記載され、前記葉書本体片の内面に隠蔽用紙片の内面を重ねて剥離可能に積層され前記葉書本体片の内面に記載された親展情報を隠蔽するくじ付郵便葉書であって、葉書本体片２の内面と隠蔽用紙片３の内面とが、透明プラスチックシート層１０２の片面に該透明プラスチックシート層１０２と剥離可能な離型樹脂層１０３を積層してなるシートの両面に感熱接着剤層１０４、１０４を設けた擬似接着シート１０５を介して重ね合わされて、加熱接着され一体化された構成である。また、透明プラスチックシート層１０２と離型樹脂層１０３との間は剥離可能とされている。
そして、葉書本体片２と隠蔽用紙片３との長辺の一方の側端縁部５において、擬似接着シート１０５をくじ付郵便葉書１０１の内方に後退させて葉書本体片２の内面と隠蔽用紙片３の内面とが直接対向する部分に側端縁感熱接着剤層１０６が形成され葉書本体片２と隠蔽用紙片３とが側端縁部５で剥離不能に加熱接着されている。側端縁感熱接着剤１０６を設けることにより郵便仕分け中や配達中に葉書本体片２と隠蔽用紙片３とが分離することがない。なお、擬似接着シート１０５を葉書本体片２と隠蔽用紙片３の間に重ねる方向は特に限定されないが、擬似接着シート１０５の透明プラスチックシート層１０２が葉書本体片２側に、離型樹脂層１０３が隠蔽用紙片３側になるように積層する方が透明プラスチックシート１０２と離型樹脂層１０３との間で剥離してくじ付郵便葉書１０１を開封したときに容易に見開き状態にすることができるので好ましい。？
【００３４】
上記のように構成されたくじ付郵便葉書１０１を受取った受取人は、切り欠き３０より隠蔽用紙片３と葉書本体片２を摘んで、透明プラスチックシート層１０２と離型樹脂層１０３との界面から剥離させ、図７（ロ）に示すようにミシン目線３１で隠蔽用紙片３を折り返して見開き状態にすることにより、葉書本体片２の内面に記載された親展情報Ｓを透明プラスチックシート層１０２および感熱接着剤層１０４を透して読み取ることができ、隠蔽用紙片３の内面に記載された親展情報Ｓを離型樹脂層１０３および感熱接着剤層１０４を透して読み取ることができる。
【００３５】
また、第二実施形態も第一実施形態と同じ効果を奏し、くじ付郵便葉書であるので受信人は記載された親展情報Ｓを見た後、少なくとも抽選日までは捨てることなく保管されることとなり、抽選日にはくじ付郵便葉書１０１の葉書本体片２及び隠蔽用紙片３の内面に記載された親展情報Ｓと外面に記載されたオープン情報Ｏが再び受取人の目に触れることとなり、例えば、商品情報であれば、その商品の販促効果の継続性を高めることが可能となる。
【００３６】
つぎに、第二実施形態のくじ付郵便葉書１０１に使用する擬似接着シート１０５について説明する。擬似接着シート１０５を構成する透明プラスチックシート層１０２に使用される透明プラスチックシートとしては、ポリエチレンテレフタレート、ポリプロピレン、ポリエチレン、ポリスチレン、アセテート、ポリ乳酸等を挙げることができるが、これらの内、特に、耐熱性、寸法安定性等の性能面及び価格面を勘案するとポリエチレンテレフタレートが好ましい。また、透明プラスチックシートは、未延伸フィルムより二軸延伸フィルムの方が耐熱性、寸法安定性等の性能面がより優れているので好ましい。透明プラスチックシートの厚さは、６〜５０μｍが好ましい。厚さ６μ未満では、離型樹脂層１０３、または感熱接着剤層１０４を積層する際に、透明プラスチックシートに皺が発生し、生産性や品質の低下を招き、厚さが５０μｍを超えると価格が高くなったり、くじ付郵便葉書を開封した際、見開き状態の保持が難しくなる。
【００３７】
擬似接着シート１０５を構成する離型樹脂層１０３には透明プラスチックシート層１０２との離型性、および、離型樹脂層１０３に積層される感熱接着剤層１０４と接着性が要求される。特に、透明プラスチックシート層１０２との離型性は、くじ付郵便葉書１０１の受取人が、指で容易に剥離できると共に、受信人に配達されるまでは剥離して分離してしまうことがないという性能が要求される。さらに、親展情報Ｓが視認できる透明性が必要となる。
【００３８】
離型樹脂層１０３の樹脂としては、ポリエチレン、ポリプロピレン、エチレンアクリル酸エチル共重合体、エチレンメタクリル酸メチル共重合体、エチレンメタクリル酸エチル共重合体、エチレンアクリル酸共重合体、エチレンメタクリル酸共重合体、エチレン酢酸ビニル共重合体、アイオノマー、スチレンアクリル系等の公知の樹脂の単体、またはそれらの樹脂を２種以上混合した混合物を用いることができる。離型樹脂層１０３の形成厚さは、通常、０．５〜２０μｍ程度である。形成厚さが０．５μｍ未満では、透明プラスチックシート層１０２と離型樹脂層１０３との剥離強度が不安定となる。また、形成厚さが２０μｍを超えると、価格が高くなる。さらに、離型樹脂層１０３の樹脂には親展情報Ｓが視認できる透明性が必要である。
【００３９】
また、感熱接着剤層１０４、１０４には、透明プラスチックシート層１０２、および離型樹脂層１０３との接着性、親展情報Ｓが記載された葉書本体片２の内面、隠蔽用紙片３の内面、および親展情報Ｓの記載部分を加熱接着により一体化させるための感熱接着性が要求される。つまり、感熱接着剤層１０４と透明プラスチックシート層１０２との接着力をｆ４２、感熱接着剤層１０４と離型樹脂層１０３との接着力をｆ４３、葉書本体片２の内面と感熱接着剤層１０４との感熱接着力をｋ４２、隠蔽用紙片３の内面と感熱接着剤層１０４との感熱接着力をｋ４３、親展情報Ｓの記載部分と感熱接着剤層１０４との感熱接着力をｋ４ｓ、透明プラスチックシート層１０２と離型樹脂層１０３との接着力をｆ２３で表すと下記の数式を満足する感熱接着剤を用いることができる。
ｆ２３＜ｋ４２、ｋ４３、ｋ４ｓ≦、ｆ４２、ｆ４３、
また、親展情報Ｓが視認できる透明性が必要である。
【００４０】
これらの特性を有する感熱接着剤層１０４に使用される感熱接着剤としては、葉書本体片、擬似接着シート、隠蔽用紙片を感熱接着するのに低温領域（例えば、１００℃以下）で感熱接着して一体化可能な、エチレン酢酸ビニル共重合体、塩化ビニル酢酸ビニル共重合体、ポリ酢酸ビニル系樹脂、ポリエステル系樹脂、ポリエチレン系樹脂、ポリアクリル系樹脂、塩素化ポリプロピレン系樹脂、ポリスチレン系樹脂、ウレタン系樹脂、ポリアミド系樹脂等の中から適宜選択された樹脂の単体、またはそれらの２種以上を混合した混合物を用いることができる。
【００４１】
擬似接着シート１０５は、透明プラスチックシートを基材として離型樹脂層、感熱接着剤層を積層することにより得られる。積層方法としては、透明プラスチックシートにエクストルージョン方式で樹脂を積層して設けてもよいし、樹脂をエマルジョンタイプもしくは溶液タイプまたはホットメルトにしてコーティング方式で積層してもよい。このような擬似接着シートの具体例としては、透明プラスチックシートに厚さ１６μｍの二軸延伸ポリエチレンテレフタレート（ＰＥＴ）を、離型樹脂層に厚さ１０μｍのポリエチレン（ＰＥ）を、感熱接着剤層に厚さ８μｍのエチレン酢酸ビニル共重合体（ＥＶＡ）を用いて積層し、＜ＥＶＡ８μｍ／ＰＥ１０μｍ／ＰＥＴ１６μｍ／ＥＶＡ８μｍ＞なる構成が挙げられる。
【００４２】
本発明の第二実施形態のくじ付郵便葉書１０１は、上記製造方法のその他の例に示した方法が好適である。上記製造方法のその他の例との違いは、強粘着剤層６の部分に側端縁感熱接着剤層を設け、弱粘着剤層４、４を設けずに、いずれか一方の弱粘着剤層４に相当する位置に擬似接着シート１０５を重ねる点であり、それ以外は、上記製造方法のその他の例と同じである。つまり、第二実施形態のくじ付郵便葉書１０１は、図６を引用して説明すると広幅用紙７に葉書本体片２と隠蔽用紙片３とを余白８を介して付き合わせて配設し、広幅用紙７の状態で表裏に印刷を施し、葉書本体片２の外面の所定位置に抽選番号２０及び郵便番号２１、宛先等の個人情報を、葉書本体片２及び隠蔽用紙片３の内面に親展情報Ｓを印字しながら、広幅用紙７の両端部近傍の所定位置にそれぞれ感熱接着剤を塗布して強粘着剤層６、６の位置に感熱接着剤層を設けて、弱粘着剤層４のいずれか一方の位置に擬似接着シート１０５を重ね、その後、広幅用紙７の略中央に設けられた余白８で葉書本体片２および隠蔽用紙片３の内面に設けられた感熱接着剤層が相互に位置が合うように半折して重ね合わせて加熱接着し、擬似接着シート１０５を介して葉書本体片２と隠蔽用紙片３とを一体化して加熱親展情報Ｓを隠蔽した後、半折した余白８部分と広幅用紙７の両端部分を流れ方向にスリット線で切取り、流れ方向に直角方向にカット位置９で断裁することによりくじ付郵便葉書１が製造される。その他は上記製造方法のその他の例と同じであり、説明を省略する。
【００４３】
本発明に係るくじ付郵便葉書のその他の形態として、葉書本体片２の外面に抽選番号２０が記載された領域２０ａ、２０ｂに図示しないが複写防止手段が施された構成とすることもできる。複写防止手段としては、例えば、次の方法が挙げられる。
（１）印刷物に狭いピッチ、例えば、１３０線／インチの平網の第１の警告マークと、広いピッチ、例えば、６５線／インチの平網の第２の警告マークとの２つの警告マークによる混成マークを構成し、さらにこれらの混成警告マークを目視困難にするカムフラージュパターン（隠し地紋）を組み合わせることにより、印刷形成したパターンを有する印刷物とすることにより、目視では判別が困難であるが、この印刷物を複写機で複写すると警告マークが現出され、複写物であることが容易に判る方法。
（２）カラー複写すると消色または変色するカラーで、一定スクーン濃度以下の複数の網点または一定の線幅以下の複数の万線を用いたコピー牽制パターン（絵柄、文字）を印刷形成した印刷物とすることにより、複写しても該コピー牽制パターンが消色により正確に複写されず、または複写しても変色して正確に複写されない方法。
（３）パール顔料を含有するパールインキを用いて印刷しパール光沢を有するパール印刷塗膜を形成した印刷物とすることにより、パール光沢を有するパール調印刷物は、見た目の色相とカラーコピーで再現される色相とが異なることを利用したカラーコピーによる偽造を防止する方法。
また、本発明のくじ付郵便葉書の実施形態としてお年玉年付賀葉書を例示したが、これに限定されるものではなく、当たり、はずれの抽選番号の付いた官製葉書等に関する規定により制約を受けるくじ付郵便葉書には適用できるものであり、例えばお年玉付年賀葉書やくじ付暑中葉書（かもめーる）等の抽選番号が付いたくじ付郵便葉書に適用できる。
【符号の説明】
【００４４】
１、１０１                              くじ付郵便葉書
２                                      葉書本体片
３                                      隠蔽用紙片
４                                      弱粘着剤層
５                                      側端縁部
６                                      強粘着剤層
７                                      広幅用紙
８                                      余白
９                                      カット位置
２０                                    抽選番号
２０ａ、２０ｂ                          抽選番号が記載された領域
２１                                    郵便番号
２２                                    住所
２３                                    氏名
３０                                    切り欠き
３１                                    ミシン目線
１０２                                  透明プラスチックシート層
１０３                                  離型層
１０４                                  感熱接着剤層
１０５                                  擬似接着シート
１０６                                  側端縁感熱接着剤層
Ｓ                                      親展情報
Ｏ                                      オープン情報
【図１】
2010155450.tif 000003
【図２】
2010155450.tif 000004
【図３】
2010155450.tif 000005
【図４】
2010155450.tif 000006
【図５】
2010155450.tif 000007
【図６】
2010155450.tif 000008
【図７】
2010155450.tif 000009